(57)【要約】      （修正有）【課題】美容美髪技術分野に適用する蒸気美容ヘアケア機を提供する。【解決手段】本体１及びスプレーガン２を備え、スプレーガンがパイプ５を介して本体と連通される。本体にソケット３が設けられ、パイプの一端にソケット内に挿入できるプラグ４が設けられ、ソケット内にパイプコネクタ雄端及び係止溝が設置され、プラグ内にパイプコネクタ雌端及び係止バックルが設置され、パイプコネクタ雄端とパイプコネクタ雌端が嵌合されており、プラグがソケットに挿入される際に、係止バックルが係止溝内に係入されている。プラグ内の係止バックルとソケット内の係止溝との互いの係止または分離により、主体またはスプレーガンが単独に更新またはアップデートされる必要があり、または、ヘアケア機を使用する際に、パイプが巻き取られた場合、係止バックルと係止溝との係止関係を解除し、プラグをソケットから抜脱することにより、スプレーガンを主体から分離し、ヘアケア機を両部分に分離する。【選択図】図１
0003201153.tif 000002
【実用新案登録請求の範囲】
【請求項１】
本体及びスプレーガンを備え、前記スプレーガンがパイプを介して前記本体と連通される蒸気美容ヘアケア機であって、前記本体にソケットが設けられ、前記パイプの一端に前記ソケット内に挿入できるプラグが設けられ、前記ソケット内にパイプコネクタ雄端及び係止溝が設置され、前記プラグ内にパイプコネクタ雌端及び係止バックルが設置され、前記パイプコネクタ雄端と前記パイプコネクタ雌端が嵌合されており、前記プラグが前記ソケットに挿入される際に、前記係止バックルが前記係止溝内に係入されていることを特徴とする蒸気美容ヘアケア機。
【請求項２】
前記ソケット内に電源コネクタ雄端が更に設置され、前記プラグ内に電源コネクタ雌端が更に設置されており、前記プラグが前記ソケットに挿入される際に、前記電源コネクタ雄端が前記電源コネクタ雌端と電気的に連接されていることを特徴とする請求項１に記載の蒸気美容ヘアケア機。
【請求項３】
前記ソケットが上蓋及び下蓋を更に備え、前記係止溝が前記上蓋に設置され、前記上蓋、前記下蓋が互いに覆い合われることにより、前記プラグが嵌め込める開口溝が形成されていることを特徴とする請求項１または２に記載の蒸気美容ヘアケア機。
【請求項４】
前記ソケットが、前記ソケットの上蓋に蝶着され且つ前記開口溝の開口箇所に近づく保護カバーを更に備えていることを特徴とする請求項３に記載の蒸気美容ヘアケア機。
【請求項５】
前記プラグが、互いに覆い合われる上蓋と下蓋を更に備え、前記上蓋に装着孔が開設され、前記係止バックルが前記装着孔内に嵌まることを特徴とする請求項１または２に記載の蒸気美容ヘアケア機。
【請求項６】
前記パイプコネクタ雌端が前記プラグの下蓋に固定されていることを特徴とする請求項５に記載の蒸気美容ヘアケア機。
【請求項７】
前記係止バックルが押し部、係止部及び突き当り部を備え、前記押し部が前記装着孔から突出し、前記突き当り部が前記パイプコネクタ雌端に突き当っており、前記プラグが前記ソケットに挿入される際に、前記係止部が前記係止溝に係入されており、前記プラグが前記ソケットから離れる際に、前記係止部が前記係止溝から離れていることを特徴とする請求項５に記載の蒸気美容ヘアケア機。
【請求項８】
前記パイプコネクタ雌端の外周縁には、二つの分離された第一フランジ及び第二フランジが設置されており、前記係止バックルの前記押し部から離れる一端が前記第一フランジに突き当っており、前記突き当り部が前記第二フランジに突き当っていることを特徴とする請求項７に記載の蒸気美容ヘアケア機。
【考案の詳細な説明】
【技術分野】
【０００１】
本考案は、美容美髪技術分野に関し、特に、蒸気美容ヘアケア機に関する。
【背景技術】
【０００２】
蒸気美容ヘアケア機の本体内部には、水タンクが設置されている。水タンク内の水は、パイプを介してスプレーガン内の加熱ボイラーと連通されている。スプレーガン内の加熱ボイラーは、水分を蒸気に変え、そして、スプレーガン口を介して水蒸気を噴出する。従来の蒸気美容ヘアケア機は、スプレーガンが本体と分離不能に連接され、スプレーガンまたは主体が単独に更新またはアップデートされるのに不利である。それと同時に、ヘアケア機を使用する過程で、パイプが巻き取られた後、スプレーガンが協力して回転しなければ、パイプが復元されなくなり、操作が面倒になる。
【考案の概要】
【考案が解決しようとする課題】
【０００３】
本考案は、解決しようとする課題が蒸気美容ヘアケア機を提供することであり、従来の蒸気美容ヘアケア機がスプレーガンまたは主体が単独に更新またはアップデートされるのに不利であり、且つ、パイプが巻き取られた後、復元され易くない問題を解決することを図る。
【課題を解決するための手段】
【０００４】
本考案は、本体及びスプレーガンを備え、前記スプレーガンがパイプを介して前記本体と連通される蒸気美容ヘアケア機であって、前記本体にソケットが設けられ、前記パイプの一端に前記ソケット内に挿入できるプラグが設けられ、前記ソケット内にパイプコネクタ雄端及び係止溝が設置され、前記プラグ内にパイプコネクタ雌端及び係止バックルが設置され、前記パイプコネクタ雄端と前記パイプコネクタ雌端が嵌合されており、前記プラグが前記ソケットに挿入される際に、前記係止バックルが前記係止溝内に係入されている。
【０００５】
更に、前記ソケット内に電源コネクタ雄端が更に設置され、前記プラグ内に電源コネクタ雌端が更に設置されており、前記プラグが前記ソケットに挿入される際に、前記電源コネクタ雄端が前記電源コネクタ雌端と電気的に連接されている。
【０００６】
更に、前記ソケットが上蓋及び下蓋を更に備え、前記係止溝が前記上蓋に設置され、前記上蓋、前記下蓋が互いに覆い合われることにより、前記プラグが嵌め込める開口溝が形成されている。
【０００７】
更に、前記プラグが、互いに覆い合われる上蓋と下蓋を更に備え、前記上蓋に装着孔が開設され、前記係止バックルが前記装着孔内に嵌まる。
更に、前記ソケットが、前記ソケットの上蓋に蝶着され且つ前記開口溝の開口箇所に近づく保護カバーを更に備えている。
【０００８】
更に、前記パイプコネクタ雌端が前記プラグの下蓋に固定されている。
更に、前記係止バックルが押し部、係止部及び突き当り部を備え、前記押し部が前記装着孔から突出し、前記突き当り部が前記パイプコネクタ雌端に突き当っており、前記プラグが前記ソケットに挿入される際に、前記係止部が前記係止溝に係入されており、前記プラグが前記ソケットから離れる際に、前記係止部が前記係止溝から離れている。
【０００９】
更に、前記パイプコネクタ雌端の外周縁には、二つの分離された第一フランジ及び第二フランジが設置されており、前記係止バックルの前記押し部から離れる一端が前記第一フランジに突き当っており、前記突き当り部が前記第二フランジに突き当っている。
【図面の簡単な説明】
【００１０】
【図１】図１は、本考案の実施形態による蒸気美容ヘアケア機の構造斜視概略図である。
【図２】図２は、図１におけるソケットとプラグが突き合せられた構造斜視概略図である。
【図３】図３は、図２に示されたソケットとプラグの構造分解概略図である。
【図４】図４は、図２の縦断面概略図である。
【考案を実施するための形態】
【００１１】
本考案が解決しようとする課題、技術手段及び有益な効果を更に明瞭にするために、以下、図面及び実施形態を参照しながら、本考案について一層詳細に説明する。しかし、ここで説明される特定の実施形態は、本考案を釈明するためのものにすぎなく、本考案を限定しないものであると認められる。
【００１２】
図１〜図４に示すように、本考案の好適な実施形態であり、蒸気美容ヘアケア機は本体１とスプレーガン２を備え、スプレーガン２がパイプ５を介して本体１と連通され、本体１にソケット３が設けられ、パイプ５の一端に、ソケット３内に挿入できるプラグ４が設けられている。ソケット３内には、パイプコネクタ雄端３１及び係止溝３２が設置され、プラグ４内には、パイプコネクタ雌端４１及び係止バックル４２が設置され、パイプコネクタ雄端３１とパイプコネクタ雌端４１は嵌合されており、プラグ４がソケット３に挿入される際に、係止バックル４２は係止溝３２内に係入されている。
【００１３】
具体的には、ソケット３は、上蓋３３、下蓋３４及び電源コネクタ雄端３５を更に備えている。係止溝３２が上蓋３３に設置され、上蓋３３、下蓋３４が互いに覆い合われることにより、プラグ４が嵌め込める開口溝（図示せず）が形成されている。プラグ４は、互いに覆い合われる上蓋４３と下蓋４４及び電源コネクタ雌端４５を更に備えている。上蓋４３には、装着孔４３１が開設され、係止バックル４２が装着孔４３１内に嵌まり、パイプコネクタ雌端４１がプラグ４の下蓋４４に固定されている。プラグ４がソケット３に挿入される際に、電源コネクタ雄端３５は電源コネクタ雌端４５と電気的に連接されている。
【００１４】
本実施形態では、係止バックル４２と係止溝３２との互いの係止または分離により、スプレーガン２と本体１の分離可能な連接を実現するとともに、パイプコネクタ雄端３１とパイプコネクタ雌端４１が嵌合されることにより、プラグ４がソケット３に挿入された後、本体１内の水はスプレーガン２と連通され、且つ、外に漏れない。電源コネクタ雄端３５が電源コネクタ雌端４５と電気的に連接されることにより、スプレーガン２は、本体１から電力量を得る。主体１またはスプレーガン２が単独に更新またはアップデートされる必要があり、または、ヘアケア機を使用する際に、パイプ５が巻き取られる場合、係止バックル４２と係止溝３２との係止関係を解除し、プラグ４をソケット３から抜脱することにより、スプレーガン２を主体１から分離し、ヘアケア機を両部分に分離し、主体１またはスプレーガン２が更新またはアップデートされることを容易にし、且つ、巻き取られたパイプ５が復元することも容易にする。
【００１５】
更に、係止バックル４２は、押し部４２１、係止部４２２及び突き当り部４２３を備えている。押し部４２１が装着孔４３１から突出し、係止部４２２が係止溝３２内に係止され、突き当り部４２３がパイプコネクタ雌端４１に突き当っている。押し部４２１が下に押されると、係止部４２２は下に移動し、係止溝３２から離れ、このとき、プラグ４はソケット３から抜脱されることができる。押し部４２１が解き放されると、突き当り部４２３は上に上昇し、元に復元し、係止部４２２は係止溝３２に係入され、このとき、プラグ４はソケット３から抜脱されることができない。押し部４２１が下に押される際に、プラグ４がソケット３から抜脱される過程で、係止バックル４２が変位し、復帰できないことを防止するために、本実施形態では、パイプコネクタ雌端４１の外周縁には、二つの分離された第一フランジ４１１及び第二フランジ４１２が設置されており、係止バックル４２の押し部４２１から離れる一端が第一フランジ４１１に突き当っており、突き当り部４２３が第二フランジ４１２に突き当っている。
【００１６】
ソケット３は、ソケット３の上蓋３３に蝶着され且つ開口溝の開口箇所に近づく保護カバー３６を更に備えている。プラグ４がソケット３から抜脱された後、保護カバー３６で覆うことができ、外界の雑物が開口溝に入ることを回避する。
以上は、本考案の好適な実施形態であるにすぎなく、本考案を限定しないものであるが、本考案の要旨を逸脱しない範囲内に加えられる種々の変更、交替及び改良などは、請求の範囲に記載された範疇に属する。
【図１】
0003201153.tif 000003
【図２】
0003201153.tif 000004
【図３】
0003201153.tif 000005
【図４】
0003201153.tif 000006